【手続補正書】
【提出日】平成19年4月5日(2007.4.5)
【手続補正１】
【補正対象書類名】明細書
【補正対象項目名】特許請求の範囲
【補正方法】変更
【補正の内容】
【特許請求の範囲】
【請求項１】  電子写真感光体上に形成された静電潜像をトナーで可視化して得られたトナー画像を静電的手段で転写材上に転写する画像形成装置に用いられる電子写真用ベルトにおいて、
該電子写真用ベルトが少なくとも熱可塑性樹脂と２種類以上の帯電防止樹脂とを含有し、
該電子写真用ベルトに一定の電圧を印加した際の該電子写真用ベルト内の最大電流値が最少電流値の１．０２倍〜３．０倍の範囲である
ことを特徴とする電子写真用ベルト。
【請求項２】  電子写真感光体と、
該電子写真感光体上に静電潜像を形成するための帯電手段及び露光手段と、
該静電潜像をトナーで可視化してトナー画像を得るための現像手段と、
該電子写真感光体との当接部を有する中間転写ベルトと、
該当接部にて該電子写真感光体から該中間転写ベルトへ該トナー画像を一次転写するための一次転写手段と、
該中間転写ベルト上の該トナー画像を転写材に二次転写するための二次転写手段と
を有する画像形成装置の該中間転写ベルトとして用いられる電子写真用ベルトにおいて、
該電子写真用ベルトが少なくとも熱可塑性樹脂と２種類以上の帯電防止樹脂とを含有し、
該電子写真用ベルトに一定の電圧を印加した際の該電子写真用ベルト内の最大電流値が最少電流値の１．０２倍〜３．０倍の範囲である
ことを特徴とする電子写真用ベルト。
【請求項３】  前記帯電防止樹脂の少なくとも１種は、溶融粘度が１００００Ｐａ・ｓになる温度が前記熱可塑性樹脂の溶融粘度が１００００Ｐａ・ｓになる温度より低温側にあるものであり、他の少なくとも１種は、溶融粘度が１００００Ｐａ・ｓになる温度が前記熱可塑性樹脂の溶融粘度が１００００Ｐａ・ｓになる温度より高温側にあるものである請求項１又は２に記載の電子写真用ベルト。
【請求項４】  前記帯電防止樹脂の少なくとも１種は、（Ａ）ポリエーテルエステルアミド又はポリエーテルアミドであり、他の少なくとも１種は、（Ｂ）ポリオレフィンポリエーテルである請求項１〜３のいずれかに記載の電子写真用ベルト。
【請求項５】  前記電子写真用ベルトに含有される前記（Ａ）と前記（Ｂ）との合計含有量が４〜３５質量％であり、かつ、前記（Ａ）：前記（Ｂ）が１：９〜９：１の範囲にある請求項４に記載の電子写真用ベルト。
【請求項６】  電子写真感光体と、
該電子写真感光体上に静電潜像を形成するための帯電手段及び露光手段と、
該静電潜像をトナーで可視化してトナー画像を得るための現像手段と、
該電子写真感光体との当接部を有する中間転写ベルトと、
該当接部にて該電子写真感光体から該中間転写ベルトへ該トナー画像を一次転写するための一次転写手段と、
該中間転写ベルト上の該トナー画像を転写材に二次転写するための二次転写手段と
を有する画像形成装置において、
該中間転写ベルトが少なくとも熱可塑性樹脂と２種類以上の帯電防止樹脂とを含有し、
該中間転写ベルトに一定の電圧を印加した際の該中間転写ベルト内の最大電流値が最少電流値の１．０２倍〜３．０倍の範囲である
ことを特徴とする画像形成装置。
【請求項７】  前記画像形成装置は、前記二次転写手段による二次転写の後に前記中間転写ベルト上に残留したトナーをクリーニングするためのクリーニング手段を更に有し、
該クリーニング手段は、前記一次転写手段による一次転写の時と逆極性の電荷を該残留したトナーに印加し、該一次転写と同時に該残留したトナーを前記電子写真感光体に戻す方式のクリーニング手段である請求項６に記載の画像形成装置。
【請求項８】  請求項６又は７に記載の画像形成装置の本体から着脱自在に構成されたプロセスカートリッジであって、前記電子写真感光体と前記中間転写ベルトと一体に支持することを特徴とするプロセスカートリッジ。
【請求項９】  前記プロセスカートリッジは、前記二次転写手段による二次転写の後に前記中間転写ベルト上に残留したトナーをクリーニングするためのクリーニング手段を更に有し、
該クリーニング手段は、前記一次転写手段による一次転写の時と逆極性の電荷を該残留したトナーに印加し、該一次転写と同時に該残留したトナーを前記電子写真感光体に戻す方式のクリーニング手段である請求項８に記載のプロセスカートリッジ。
【手続補正２】
【補正対象書類名】明細書
【補正対象項目名】００２５
【補正方法】変更
【補正の内容】
【００２５】
【課題を解決するための手段】
本発明に従って、電子写真感光体上に形成された静電潜像をトナーで可視化して得られたトナー画像を静電的手段で転写材上に転写する画像形成装置に用いられる電子写真用ベルトにおいて、
該電子写真用ベルトが少なくとも熱可塑性樹脂と２種類以上の帯電防止樹脂とを含有し、
該電子写真用ベルトに一定の電圧を印加した際の該電子写真用ベルト内の最大電流値が最少電流値の１．０２倍〜３．０倍の範囲である
ことを特徴とする電子写真用ベルトが提供される。
また、本発明に従って、電子写真感光体と、
該電子写真感光体上に静電潜像を形成するための帯電手段及び露光手段と、
該静電潜像をトナーで可視化してトナー画像を得るための現像手段と、
該電子写真感光体との当接部を有する中間転写ベルトと、
該当接部にて該電子写真感光体から該中間転写ベルトへ該トナー画像を一次転写するための一次転写手段と、
該中間転写ベルト上の該トナー画像を転写材に二次転写するための二次転写手段と
を有する画像形成装置の該中間転写ベルトとして用いられる電子写真用ベルトにおいて、
該電子写真用ベルトが少なくとも熱可塑性樹脂と２種類以上の帯電防止樹脂とを含有し、
該電子写真用ベルトに一定の電圧を印加した際の該電子写真用ベルト内の最大電流値が最少電流値の１．０２倍〜３．０倍の範囲である
ことを特徴とする電子写真用ベルトが提供される。
【手続補正３】
【補正対象書類名】明細書
【補正対象項目名】００２６
【補正方法】変更
【補正の内容】
【００２６】
また、本発明に従って、電子写真感光体と、
該電子写真感光体上に静電潜像を形成するための帯電手段及び露光手段と、
該静電潜像をトナーで可視化してトナー画像を得るための現像手段と、
該電子写真感光体との当接部を有する中間転写ベルトと、
該当接部にて該電子写真感光体から該中間転写ベルトへ該トナー画像を一次転写するための一次転写手段と、
該中間転写ベルト上の該トナー画像を転写材に二次転写するための二次転写手段と
を有する画像形成装置において、
該中間転写ベルトが少なくとも熱可塑性樹脂と２種類以上の帯電防止樹脂とを含有し、
該中間転写ベルトに一定の電圧を印加した際の該中間転写ベルト内の最大電流値が最少電流値の１．０２倍〜３．０倍の範囲である
ことを特徴とする画像形成装置が提供される。
更に、本発明に従って、上記画像形成装置の本体から着脱自在に構成されたプロセスカートリッジであって、前記電子写真感光体と前記中間転写ベルトと一体に支持することを特徴とするプロセスカートリッジが提供される。
【手続補正４】
【補正対象書類名】明細書
【補正対象項目名】００８８
【補正方法】変更
【補正の内容】
【００８８】
この電子写真用ベルト１の１ｋＶ印加時の体積抵抗率は９．８×１０9Ω・ｃｍであり、また図７の装置による１ｋＶ印加時の電流の最大値と最小値の差は１．１８倍であった。
【手続補正５】
【補正対象書類名】明細書
【補正対象項目名】０１００
【補正方法】変更
【補正の内容】
【０１００】
この電子写真用ベルト４の１ｋＶ印加時の体積抵抗率は１．２×１０10Ω・ｃｍであり、また図７の装置による１ｋＶ印加時の電流の最大値と最小値の差は１．２１倍であった。
【手続補正６】
【補正対象書類名】明細書
【補正対象項目名】０１０３
【補正方法】変更
【補正の内容】
【０１０３】
この電子写真用ベルト５の１ｋＶ印加時の体積抵抗率は７．１×１０10Ω・ｃｍであり、また図７の装置による１ｋＶ印加時の電流の最大値と最小値の差は２．３倍であった。